【事件の表示】
　特願２００５−２３２５１２号「冷蔵庫」拒絶査定不服審判事件〔平成１９年２月２２日出願公開、特開２００７−４６８４７号〕について、次のとおり審決する。
【結　論】
　本件審判の請求は、成り立たない。
【理　由】
第１．手続の経緯  
　本件に係る出願（以下「本願」という。）は、平成１７年８月１０日の出願であって、平成２１年７月２３日付けで拒絶査定がなされ（発送日：同年７月２８日）、これに対し、同年１０月１日に拒絶査定不服審判の請求がなされ、同日付けで手続補正がなされたものである。
 　 
第２．平成２１年１０月１日付け手続補正についての補正却下の決定
［補正却下の決定の結論］
　平成２１年１０月１日付けの手続補正（以下「本件補正」という。）を却下する。
　
［理由］
１．本件補正発明 
　本件補正は、特許請求の範囲の請求項３について、
「【請求項１】
　冷蔵庫の扉内側に扉内板ポケットの側壁土手部を設け、かつ前後方向に複数に区画形成した収納物を収納するポケットを設けた冷蔵庫において、前記扉内板ポケットの側壁土手部に前後２列に収納された収納物の奥側の収納物を
、手前に収納物が置かれた状態でも
【請求項３】
　前記冷蔵室の扉は両側に開閉する２つの扉であって、前記各扉に設けた扉内板ポケットの奥側に前記収納物を並列配置し、両側から収納物を取り出せるようそれぞれの扉内板ポケットの左右側壁土手部にそれぞれ前記側壁土手部を切り欠いたユニバーサルカット部を設けたことを特徴とする請求項１に記載の冷蔵庫。」（下線は当審にて付与。以下同様。）と補正することを含むものである。 
　上記補正について検討する。 
　本件補正後の特許請求の範囲の請求項３に記載された発明は、側壁土手部を切り欠いたユニバーサルカット部について、本件補正前に「収納物を容易に取出し可能とする」ものとあったのを「収納物を
、手前に収納物が置かれた状態でも
　そこで、本件補正後の特許請求の範囲の請求項３に記載された発明（以下「本件補正発明」という。）が特許出願の際独立して特許を受けることができるものであるか（改正前特許法第１７条の２第５項において準用する同法第１２６条第５項の規定に適合するか）否かについて検討する。
　
２．刊行物に記載された発明
(1)原査定の拒絶の理由に引用された、本願の出願前に頒布された刊行物である特開２００４−３４０３８７号公報（以下「刊行物１」という。）には、図面と共に次の事項が記載されている。  
a)「【請求項１】
　両側端に設けたヒンジ部によって貯蔵室の前面開口を中央部から観音開きに開放する左右の扉と、この左右扉の各々の室内側に延出して配設された
ポケット用ビード部を一体に形成した扉内側部材
冷蔵庫
b)「【発明の属する技術分野】
　本発明は、冷蔵庫に係り、特に冷蔵室の前面開口を左右に区分して開閉する観音開き式扉を有する冷蔵庫に関する。」（段落【0001】）
c)「本発明はこの点に着目してなされたもので、
冷蔵室や収納量の多い扉ポケット部が本体の上部にあっても開扉時における冷蔵庫を倒れにくくし、さらにその設置スペースを小さくするとともに、観音開き式であっても左右の各扉内側のポケットの収納容量を大きくし、所定本数のペットボトルを効率良く収納できるようにした使い勝手がよい冷蔵庫を提供することを目的とする
d)「【発明の実施の形態】
以下、図面に基づき本発明の１実施形態について説明する。本発明に係る冷蔵庫の正面図である図１、およびその縦断面図である図２に示すように、断熱箱体で形成された冷蔵庫本体（１）は、その内部を貯蔵空間として最上部に最も収納容積の大きい冷蔵室（２）を配置し、その下方に野菜室（３）を設けている。野菜室（３）の下方には自動製氷装置を設置した製氷室（４）と温度切替室（５）を併置し、最下部には冷凍室（６）をそれぞれ独立して配置し、各貯蔵室の前面開口には各々専用の扉を開閉自在に設けている。
　冷凍室（６）と野菜室（３）の後部には、冷凍用冷却器（７）と冷蔵用冷却器（８）およびそれぞれに冷却ファンを設けて、本体下部に設置した冷媒圧縮機（９）の駆動により、前記各冷却器（７）（８）によって冷却された冷気を各貯蔵室に送風し、それぞれを所定の設定温度に冷却制御する。
　
冷蔵室（２）
の前面開口には、それぞれ外側端の上下部をヒンジ（１１）で枢支した左扉（１２）および右扉（１３）を回動自在に設置し
　前記左扉（１２）と右扉（１３）は、本体中央部で対向して冷蔵室（２）の開口を左右に区分するように配置されており、図３に左扉（１２）の横断面詳細を示すように、扉表面を形成する断面コ字状の鋼板製の扉外板（１４）に断熱空間を介して室内側の面を形成する扉内側（１５）を設け、上下の開口をキャップ部材で閉塞するとともに、内部空間に現場発泡方式にてウレタンフォームなどの断熱材（１６）を充填して一体化したものであり、前記扉内側（１５）には庫内側へ突出する複数の扉ポケット部材（１６）を設置するとともに、扉内側周縁にはガスケット（１７）を取り付けて室内冷気の外部流出を防いでいる。」（段落【0011】〜【0014】）
e)「図２中二点鎖線は、前記冷蔵室の左右扉（１２）（１３）、および野菜室（３）や温度切替室（５）、冷凍室（６）などの引き出し方式による扉を開扉した状態を示しており、図からも明らかなように、中央部で分割した冷蔵室の左扉（１２）と右扉（１３）は最大に開扉してもその開放端は下部の野菜室（３）などの扉の引き出し位置よりも短く、その分重心の前方への移行は少なくなるものであり、この左右扉（１２）（１３）の構成により、冷蔵庫本体（１）の高さ寸法が高いとともに本体幅が比較的小さく、冷蔵室（２）が上部にあって扉の内側ポケット部材（１６）の収納容量の大きい冷蔵庫であっても、冷蔵室扉の開扉時における重心の前方移行を少なくして転倒を防止する安全な形態が得られる。
　左右扉（１２）（１３）の内側を構成する扉内側（１５）は、ポリプロピレン樹脂を射出成形することにより形成されており、図４にその単体での斜視図、図５に図４のＡ−Ａ線に沿う横断面を示すように、冷蔵室（２）の前面開口部近傍の内箱壁面との間に狭い間隙であるスロート（１９）を上下に亙って形成するように庫内両側へビード部（１５ａ）を突出させ、同時に前記
ビード部（１５ａ）間の内面側に収納ポケット部（２０）を設けている
　また、
収納ポケット部（２０）には
扉ポケット部材（１６）を取り付けており
室内側へ延出する収納部を形成している。
・・・
　前記収納ポケット部（２０）に収納される頻度が多い
ペットボトル（２３）
短辺側を２本並べ
収納ポケット部（２０）にボトル２本が併置収納
f)「【発明の効果】
　以上説明したように、本発明によれば、本体高さが高いとともに幅寸法が小さく、冷蔵室が上部にあって扉の内側ポケットへの収納容量の大きい冷蔵庫であっても、冷蔵室扉の開扉時における重心の前方移行を少なくして転倒を防止する安全な形態が得られるとともに、左右に区分された扉内側ポケットを効率的形状にすることで収納ポケット部の載置スペースを拡大し、ペットボトルの所定の収納容量を確保することができる。また、冷蔵室の開口部壁面と扉内側ビード部とのスロート幅を極力狭く形成することができるため、庫外への熱漏洩を効果的に遮断することができ、消費電力量を低減することができる。」（段落【0034】）
g)上記eの記載事項および【図3】の図示内容によると、
扉ポケット部材１６の内部が２つの収納空間となるように前後方向に区画形成されたこと
奥側に
　
　上記a〜fの記載事項、上記gの認定事項および図面の図示内容を総合勘案すると、刊行物１には、次の発明が記載されていると認められる。
「冷蔵室や収納量の多い扉ポケット部が本体の上部にあっても開扉時における冷蔵庫を倒れにくくし、さらにその設置スペースを小さくするとともに、観音開き式であっても左右の各扉内側のポケットの収納容量を大きくし、所定本数のペットボトル２３を効率良く収納できるようにした使い勝手がよい冷蔵庫を提供することを目的として、
　扉内側部材にポケット用ビード部を一体に形成し、
　ポケット用ビード部間の内面側に設けた収納ポケット部２０に、内部が２つの収納空間となるように前後方向に区画形成された扉ポケット部材１６を取り付け、
　冷蔵室２の前面開口には、それぞれ外側端の上下部をヒンジ１１で枢支した左扉１２および右扉１３を回動自在に設置した冷蔵庫において、
　扉ポケット部材１６の奥側にペットボトル２３を短辺側を２本並べて併置収納できる冷蔵庫。」
　
(2)同じく、原査定の拒絶の理由に引用された、本願の出願前に頒布された刊行物である特開２００３−６５６６６号公報（以下「刊行物２」という。）には、図面と共に次の技術事項が記載されている。
a)「（実施の形態３）図９は、本発明の実施の形態３による冷蔵庫扉の斜視図である。なお、以後の実施の形態については、
冷蔵庫
冷蔵庫扉５において、庫内板１２の周縁部１３の下部を一部切り欠いた切り欠き部である
この切り欠き部により、冷蔵庫扉を僅かに開けるだけで、
収納物を容易に出し入れすることが可能となる。
　
　上記a記載事項および図面の図示内容を総合勘案すると、刊行物２には、次の発明が記載されていると認められる。
「収納物を容易に出し入れすることが可能となるように、庫内板１２の周縁部１３に、下部を一部切り欠いた切り欠き部を設けた冷蔵庫扉５を有する冷蔵庫。」
　
３．対比  
　本件補正発明と刊行物に記載された発明とを対比する。
　刊行物１に記載された発明の「扉内側部材にポケット用ビード部を一体に形成」することは、その構成および機能からみて、本件補正発明の「冷蔵庫の扉内側に扉内板ポケットの側壁土手部を設け」ることに相当し、以下同様に、 
　「内部が２つの収納空間となるように前後方向に区画形成された扉ポケット部材１６を取り付け」ることは「前後方向に複数に区画形成した収納物を収納するポケットを設け」ることに、
　「冷蔵室２の前面開口には、それぞれ外側端の上下部をヒンジ１１で枢支した左扉１２および右扉１３を回動自在に設置」することは「冷蔵室の扉は両側に開閉する２つの扉であ」ることに、
　「扉ポケット部材１６の奥側にペットボトル２３を短辺側を２本並べて併置収納できる」ことは「各扉に設けた扉内板ポケットの奥側に収納物を並列配置」させることに、
　それぞれ相当する。
　
　したがって、上記両者の一致点および相違点は、次のとおりである。 
［一致点］
「冷蔵庫の扉内側に扉内板ポケットの側壁土手部を設け、かつ前後方向に複数に区画形成した収納物を収納するポケットを設けた冷蔵庫において、
　冷蔵室の扉は両側に開閉する２つの扉であって、各扉に設けた扉内板ポケットの奥側に収納物を並列配置した冷蔵庫。」 
　
［相違点］ 
　本件補正発明では、扉内板ポケットの側壁土手部に前後２列に収納された収納物の奥側の収納物を、手前に収納物が置かれた状態でも容易に取出し可能とするよう側壁土手部を切り欠いたユニバーサルカット部を設け、奥側のポケットを扉を開閉したときにも奥側ポケットに収納した２Ｌペットボトルが奥側ポケットの外に飛び出てしまわないような前記側壁土手部の高さとし、両側から収納物を取り出せるようそれぞれの扉内板ポケットの左右側壁土手部にそれぞれ側壁土手部を切り欠いたユニバーサルカット部を設けたのに対して、刊行物１に記載された発明では、内部が２つの収納空間となるように前後方向に区画形成され扉ポケット部材１６の奥側に、ペットボトル２３を短辺側を２本並べて併置収納できるが、ポケット用ビード部に側壁土手部を切り欠いたユニバーサルカット部が設けられていない点。
　
４．当審の判断
　上記相違点について検討する。
　刊行物２には、収納物を容易に出し入れすることが可能となるように、庫内板１２の周縁部１３（本件補正発明の「側壁土手部」に相当する。）に、下部を一部切り欠いた切り欠き部を設けた冷蔵庫扉５を有する冷蔵庫の発明が記載されている。
　一方、刊行物１に記載された発明は、扉ポケット部材１６の奥側にペットボトル２３を短辺側を２本並べて併置収納させることにより、所定本数のペットボトル２３を効率良く収納できるようにした使い勝手がよい冷蔵庫を提供するものである。そして、冷蔵庫に収納した収納物は、使用のために取り出されることを前提とするものであり、収納物の収納と取り出しとは表裏一体の関係にあるといえるから、使い勝手の向上として、刊行物１に記載された発明のように収納物の収納効率を向上させることに加えて、収納物の取り出し効率を向上させることが求められることは明らかである。
　したがって、刊行物１に記載された発明において、ポケット収納部１６の奥側に併置収納したペットボトル２３を効率良く出し入れすることが可能となるように、刊行物２に記載された発明に倣って、扉内側部材に設けた両側のポケット用ビード部に切り欠きを設けることは当業者が容易になし得たものである。
　また、刊行物１に記載された発明においても、製品として成り立つためには、扉の開閉に際して収納されたペットボトル２３が扉ポケット部材１６の外に飛び出さないように扉ポケット部材１６の収納高さ寸法を確保していることは明らかであるから、かかる切り欠きを設けるとともに、扉の開閉に際して収納されたペットボトルが扉ポケット部材１６の外に飛び出さないようにすることは当業者が適宜なし得たものである。
　さらに、本件補正発明の奏する効果についてみても、刊行物１、２に記載された発明から当業者が予測できた範囲内のものである。 
　ゆえに、本件補正発明は、刊行物１、２に記載された発明に基いて当業者が容易に想到し得たものである。  
　よって、本件補正発明は、刊行物１、２に記載された発明に基いて当業者が容易に発明をすることができたものであるから、特許法第２９条第２項の規定により、特許出願の際独立して特許を受けることができないものである。　  
 　  
５．まとめ
　以上のとおりであるから、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願発明
　平成２１年１０月１日付け手続補正は上記のとおり却下されたので、本願の特許請求の範囲の請求項３に係る発明（以下「本願発明」という。）は、平成２１年２月１２日付け手続補正書により補正された特許請求の範囲の請求項３に記載された次のとおりのものである。  
 「【請求項１】冷蔵庫の扉内側に扉内板ポケットの側壁土手部を設け、かつ前後方向に複数に区画形成した収納物を収納するポケットを設けた冷蔵庫において、前記扉内板ポケットの側壁土手部に前後２列に収納された収納物の奥側の収納物を容易に取出し可能とするよう前記側壁土手部を切り欠いたユニバーサルカット部を設け、奥側のポケットを扉を開閉したときにも奥側ポケットに収納した２Ｌペットボトルが奥側ポケットの外に飛び出てしまわないような前記側壁土手部の高さとしたことを特徴とした冷蔵庫。
　【請求項３】前記冷蔵室の扉は両側に開閉する２つの扉であって、前記各扉に設けた扉内板ポケットの奥側に前記収納物を並列配置し、両側から収納物を取り出せるようそれぞれの扉内板ポケットの左右側壁土手部にそれぞれ前記側壁土手部を切り欠いたユニバーサルカット部を設けたことを特徴とする請求項１に記載の冷蔵庫。」 
 　  
２．刊行物に記載された発明
　原査定の拒絶の理由に引用した刊行物１、２、刊行物１、２の記載事項および刊行物１、２に記載された発明は、前記「第２．［理由］２刊行物に記載された発明」に記載したとおりである。 
 　 
３．対比および判断  
　本願発明は、前記「第２．［理由］１本件補正発明」で検討した本件補正発明の側壁土手部を切り欠いたユニバーサルカット部について、「収納物を
、手前に収納物が置かれた状態でも
　そうすると、本願発明の構成要件の全てを含む本件補正発明が前記「第２．［理由］３．対比および４．当審の判断」に記載したとおり、刊行物１、２に記載された発明に基いて当業者が容易に発明をすることができたものであるから、本願発明も、同様に、刊行物１、２に記載された発明に基づいて当業者が容易に発明をすることができたものである。  
 　 
４．むすび  
　以上のとおりであるから、本願発明は、刊行物１、２に記載された発明に基づいて当業者が容易に発明をすることができたものであり、特許法第２９条第２項の規定により特許を受けることができない。  
　したがって、本願のその他の請求項に係る発明について検討するまでもな
く、本願は拒絶すべきものである。  
 　  
 　よって、結論のとおり審決する。